(57)【要約】【課題】針葉樹の挿し木苗の大量生産において、コンテナ苗の生産性を高めるために単位労力当たりの生産性を高める技術を確立すること。【解決手段】コンテナを用いる針葉樹の苗木の製造方法であって、  コンテナに充填された培地に挿し付けられる、針葉樹の複数の挿し穂のうち、穂の長さが25cm以上、40cm以下に調整された少なくとも１つの挿し穂の重量を測定し、予め設定した基準値以上の重量を有することが確認された挿し穂を前記培地に挿し木し、該挿し木された挿し穂を育苗して苗木に育成することを含む、製造方法。【選択図】なし【特許請求の範囲】
【請求項１】
コンテナを用いる針葉樹の苗木の製造方法であって、
コンテナに充填された培地に挿し付けられる針葉樹の複数の挿し穂のうち、穂の長さが25cm以上、40cm以下に調整された少なくとも１つの挿し穂の重量を測定し、予め設定した基準値以上の重量を有することが確認された挿し穂を前記培地に挿し木し、該挿し木された挿し穂を育苗して苗木に育成することを含む、製造方法。
【請求項２】
穂の重量の基準値が、穂から発根した根の出荷時期における乾燥重として、出荷が可能な根乾燥重である０．８ｇ以上を有する苗木が、育苗された苗全体の８０％以上になる重量である、請求項１に記載の製造方法。
【請求項３】
出荷時期が挿し付けから10ヶ月〜14ヶ月を経過した時期である、請求項２に記載の製造方法。  
【請求項４】
品種及び／又は挿し付け時期により、基準値の大きさを改変すること含む請求項１〜３のいずれかに記載の製造方法。
【請求項５】
重量を測定される挿し穂が、挿し付けられる挿し穂の本数全体の８０％以上である、請求項１〜４のいずれかに記載の製造方法。
【請求項６】
予め設定した基準値以上の重量を有しない挿し穂の育苗を、予め設定した基準値以上の重量を有する挿し穂の育苗とは異なる管理方法により育苗して苗木に育成することを含む、請求項１〜５のいずれかに記載の製造方法。
【請求項７】
針葉樹がスギ、ヒノキ又はマツ類であり、コンテナの培地容量が１５０ｍｌ〜２００ｍｌである、請求項１〜６のいずれかに記載の製造方法。
【発明の詳細な説明】
【技術分野】
【０００１】
本発明は、針葉樹の挿し木増殖方法に関し、とくにスギ及びヒノキの挿し木苗（以下「スギ挿し木苗」ということがある）を効率的に製造（生産）する方法に関する。
【背景技術】
【０００２】
国内林業では、拡大造林期に植栽された山林樹木の多くが伐期を迎え、国産材需要の高まりとともに、伐採後に植栽する大量の山林用苗木の安定供給体制が求められている。林野庁では、苗木の効率的な生産、また、低コスト再造林のツールとしてコンテナ苗の利用を推奨しており、その使用量は年々増加傾向であるが、平成２５年度時点で山行き苗木全体の１割にも達していない状況であり、主な原因として従来の裸苗に比べてコスト高であることが指摘されている。 
コンテナ苗は、根巻きを防ぐ構造の育苗容器で育成された山林用苗木であり、海外の林業先進国では既に普及が進んでいるが、国内では２００８年に国産用のコンテナが開発され生産が開始された（図１）。従来の主たる山行き苗である裸苗とマルチキャビティコンテナにより生産される苗との大きな違いは、後者においては根が土を保持した根鉢が形成されているため、植栽効率及び活着率が高く、季節を問わずいつでも植栽できるという特長があることである。 
山林苗の生産は種子による実生生産の他、挿し木生産が行われ、スギでは九州地方、日本海側の一部で行われており、一部で環境制御が可能な施設を利用した大規模なコンテナ苗生産事業が稼働している。
【０００３】
近年国産木材の需要が高まっているにもかかわらず植林用挿し木苗、とくにスギの植林用挿し木苗の供給体制はむしろ衰退しているため、大量の苗木を効率的に供給できる体制が必要とされている。
そのような背景の下、上記のような優位性を有するコンテナ苗の生産量・使用量は、上記のとおり年々増加傾向にあるものの、更なる普及には低コスト化、量産に向けた技術開発が必要となっている。
他方において樹木の苗は育苗期間が長い傾向にあり、時間あたりの生産量は必ずしも大きいものではない。コンテナ苗の生産性を高めるために、単位面積当たりの生産量を増やしたり、単位時間当たりの生産量を増やす試みがなされている（特許文献１）。特許文献２には母樹より挿し穂を採取し、次いでこの挿し穂を発根させて行うユーカリ属植物の挿し木苗生産方法として、最大直径（Ｒ）に対する軸方向長さ（Ｔ）の比（Ｔ／Ｒ）が、０．９以上の挿し穂を用いることを特徴とするユーカリ属植物の挿し木苗生産方法について記載されている。
【先行技術文献】
【特許文献】
【０００４】
【特許文献１】特許第０３１２３４号公報
【特許文献２】特開２００６−６３０２号公報
【発明の概要】
【発明が解決しようとする課題】
【０００５】
上記のとおりコンテナ苗の生産性を高めるために、単位面積当たりの生産量を増やしたり、単位時間当たりの生産量を増やす試みがなされている。
他方において、労力単位当たりの生産性を向上させるための技術は存在していないことを本発明者らは見出した。コンテナ苗の生産には挿しつけから山出しまで１年又はそれ以上の時間を要することがあるため、同生産において単位労力当たりの生産性が低いと、必要な数量にまで補填することは困難である。コンテナ苗の生産に時間を要するのは、コンテナ苗において発生する根は太い不定根であるため、発生する根がより細かい実生苗の根より土を抱えがたいことが一因である。またコンテナ苗は限られたスペースにおける単位面積当たりの製造効率を高めるために育苗時に密植されることが多い。他方において、コンテナ苗の挿し穂は密植されるためすべての苗に均等に光を与え難い。このこともコンテナ苗の生産に時間を要する原因となりえると考えられた。
「根鉢」とは、コンテナあるいはポット等の育苗容器で育苗した苗木について、一般に移植に際し掘り上げられる根系を含んだ培地のまとまりをいう。山林への植林（山出し）は、根鉢に抱え込まれた培地がコンテナ又は育苗容器から苗を抜き取った後に崩壊しないように、根鉢が十分に形成されてから行われる必要がある。
【０００６】
本発明者らは、スギ挿し木のコンテナ苗生産では、出荷時の根鉢不良により歩留まりが悪く、根鉢不良の個体は廃棄あるいは床替えするなどの労務作業が発生していることを見出した。個体による根量の多少は、従来の露地生産でも確認されてきたが、需給がひっ迫してない状況下では上記課題はこれまで課題として認識されていなかったと考えられる。しかしながら、今後コンテナ苗を量産化するために、施設投資型の生産体制に移行した場合、製品（苗）の歩留まりが低いことは労務費負担及び原価上昇を招き、生産上の大きな課題となりえることが、本発明者らにより予見された。
スギ等の挿し木苗の大量生産において、コンテナ苗の生産性を高めるために単位労力当たりの生産性を高める技術を確立することは、早急に解決されるべき喫緊の課題である。かかる課題は、本発明者らにより初めて見出されたものである。
【課題を解決するための手段】
【０００７】
上記課題に鑑み本発明者らは、従来検討されていなかった生産を一層効率化するための指標として歩留まりを高めるための指標を検討したところ、ある種の指標を用いることにより上記課題が解決される可能性があることを見出し、本発明を完成した。
【０００８】
すなわち本発明は、少なくとも以下の発明に関する：
［１］コンテナを用いる針葉樹の苗木の製造方法であって、
コンテナに充填された培地に挿し付けられる針葉樹の複数の挿し穂のうち、穂の長さが25cm以上、40cm以下に調整された少なくとも１つの挿し穂の重量を測定し、予め設定した基準値以上の重量を有することが確認された挿し穂を前記培地に挿し木し、該挿し木された挿し穂を育苗して苗木に育成することを含む、製造方法。
［２]穂の重量の基準値が、穂から発根した根の出荷時期における乾燥重として、出荷が可能な根乾燥重である０．８ｇ以上の重量を有する苗木が、育苗された苗全体の８０％以上になる重量である、上記［１］の製造方法。
［３] 出荷時期が挿し付けから10ヶ月〜14ヶ月を経過した時期である、上記［２］の製造方法。  
［４]品種及び／又は挿し付け時期により、基準値の大きさを改変すること含む上記［１］〜又は［３］のいずれか製造方法。
［５] 重量を測定される挿し穂が、挿し付けられる挿し穂の本数全体の８０％以上である、上記［１］〜［４］のいずれかの製造方法。
［６] 予め設定した基準値以上の重量を有しない挿し穂の育苗を、予め設定した基準値以上の重量を有する挿し穂の育苗とは異なる管理方法により育苗して苗木に育成することを含む、上記［１］〜［５］のいずれかの製造方法。
［７] 針葉樹がスギ、ヒノキ又はマツ類であり、コンテナの培地容量が１５０ｍｌ〜２００ｍｌである、上記［１］〜［６］のいずれかの製造方法。
【発明の効果】
【０００９】
本発明の製造方法によればコンテナ苗の歩留まり（得苗率）が向上し、コンテナ苗の生産を一層効率化することができる。本明細書において歩留まり、すなわち得苗率とは、コンテナ苗として育苗され山出しが可能になった苗の本数が、コンテナ苗として育苗された苗全体の本数に対する割合である。
従来さし穂の選定は、同程度の大きさの穂であることとともに、目視による健全さの判別によりなされてきた。このような手法に比較して、本発明の方法は、客観的な指標を採用することにより、コンテナ苗の歩留まり（得苗率）を顕著に向上させることができる。
また本発明の製造方法によれば、コンテナ苗における根鉢の形成を抜き取りによる確認作業が不要になるため、作業効率が向上する。
【００１０】
本発明の製造方法のうち、基準値が、出荷時期において、出荷が可能な根（挿し穂から発根した不定根）の乾燥重である０．８ｇ以上の重量又は出荷が可能な根生体重である８ｇ以上の重量である苗木が、育苗された苗全体の８０％以上になる重量である製造方法、又は出荷時期が挿し付けから10ヶ月〜14ヶ月を経過した時点である製造方法によれば、コンテナ苗の歩留まり（得苗率）を一層顕著に向上させることができる。  本発明の製造方法のうち、対象針葉樹の品種により、基準値の大きさを改変すること含む製造方法によれば、コンテナ苗の歩留まり（得苗率）を一層顕著に向上させることができる。
本発明の製造方法のうち、重量を測定される挿し穂が、挿し付けられる挿し穂の本数全体の８０％以上である本発明の製造方法によれば、コンテナ苗の歩留まり（得苗率）を一層顕著に向上させることができる。
本発明の製造方法のうち、予め設定した基準値以上のもの重量を有しない挿し穂の育苗を、予め設定した基準値以上の重量を有する挿し穂の育苗とは異なる管理方法により育苗して苗木に育成することを含む本発明の製造方法によれば、コンテナ苗の歩留まり（得苗率）を一層顕著に向上させることができる。本発明の製造方法としてスギ、ヒノキ又はクロマツ、アカマツなどのマツ類に適用されるものは、コンテナ苗の歩留まり（得苗率）をとくに顕著に向上させることができる。
本発明の製造方法のうち、コンテナの培地容量が１５０ｍｌ〜２００ｍｌである本発明の製造方法によれば、針葉樹がスギ、ヒノキ又はマツ類の育苗をとくに高い歩留まりにより行うことができる。
【図面の簡単な説明】
【００１１】
【図１】マルチキャビティコンテナ（図中においては「マルチキャビティーコンテナ」と表記した）の例を示す写真図である（林業白書から転載）。マルチキャビティコンテナには、根の変形や根巻きが生じないように、育成用の穴の内面に突起が設けられている。
【図２】本発明の製造方法において、出荷基準（根鉢成形性）に必要な根重量を基に、出荷時期に根鉢形成を満たす挿し木時の挿し穂重量が設定されることを模式的に示す図（左）及び根鉢形成に充分な根量を有する苗の例を示す写真図（右）である。
【図３】本発明の製造方法についての、推測される原理の例を示す模式図である。右下の図において白色で示されているのは挿し穂から発根した根（不定根）である。
【図４】本発明の製造方法についての、推測される原理の他の一部を示す模式図である。
【図５】本発明による育苗管理の方法の対象となる、タイプＡ（規格大：穂重の基準値に達しているタイプ）と以下のタイプＢ（規格小：穂重の基準値に達していないタイプ）（図５）とについて、挿し付け時の穂重の相違を示す図である。
【図６】本発明による、分類した挿し穂に合わせた育苗方法の工程を示す模式図である。
【図７】実施例１において用いられた穂の典型例を示す写真図である。
【図８】実施例１において、柔穂と堅穂についての挿し付け時の穂重、及び挿し付け後の根生体重（生体根重）を示す図である。
【図９】実施例１において、堅穂及び柔穂についての挿し付け時の穂重（穂生体重）と根重量（根生体重）との関係を示す図である。
【図１０】実施例２において、根乾燥重１ｇを目安にした場合、挿し付け時の穂重が２０ｇ以上であれば高い得苗率が得られると判断されることを示す図である。
【図１１】実施例３における、得苗率が高いグループと得苗率が低いグループのそれぞれに属する個体について、穂及び根鉢形成の度合いを示す写真図である。
【図１２】実施例３における、挿し付け半年後における、穂の生育度合いを穂の大きさ（苗長）ごとに示す写真図である。
【発明を実施するための形態】
【００１２】
本明細書において「挿し穂」の語は、苗木の育苗を目的として針葉樹の母樹から分離された穂を含む小枝部分を意味するものとして用いられる。
本明細書において「挿し木する」および「挿し付ける」の語は同義に用いられ、いずれも挿し穂を植え付ける工程を意味する。
本明細書において「コンテナ苗」の語は、マルチキャビティコンテナを含む育苗用のコンテナを用いて育苗された苗又は前記コンテナを用いて育苗されている苗木を意味する。コンテナとして、個々に独立しているタイプのコンテナも本発明の製造方法に用いることができる。
【００１３】
本発明は、上記のとおり、下記の発明に関する：
コンテナを用いる針葉樹の苗木の製造方法であって、
コンテナに充填された培地に挿し付けられる複数の挿し穂のうち、穂長が25cm以上、40cm以下に調整された少なくとも１つの挿し穂の重量を測定し、予め設定した基準値以上の重量を有することが確認された挿し穂を前記培地に挿し木し、該挿し木された挿し穂を育苗して苗木に育成することを含む、製造方法。
上記針葉樹として、スギ、ヒノキ及びアカマツ、クロマツなどのマツ類は好ましく、スギ及びヒノキはより好ましく、スギは最も好ましい。
【００１４】
穂重が大きいと根重も大きい傾向があるといったことは知られていた。しかしながら、ある一定の穂重以上の苗であれば根鉢形成が十分に行われることや、コンテナ苗における根鉢形成に必要な根重と穂重との間に高い相関があることは知られていなかった。本発明が依拠する原理として、根鉢形成のための指標として根重が有効に用いられることさえも知られていなかったのが実情である。かかる原理に基づき、本発明においては出荷基準（根鉢成形性）に必要な根重量を基に、出荷時期に根鉢形成を満たす挿し木時の挿し穂重量が設定される（図２）。
【００１５】
また上記のとおり挿し木時の穂が比較的大きいスギ等の針葉樹種では、一定期間経過した根量は、挿し木時の穂重に強く依存し、根鉢形成のための指標として根重が有効に用いられることが本発明者らにより見出されたことから、穂を分別し、各挿し穂の発根特性に合わせて育苗管理することで生産効率を格段に向上させることも、本発明により可能になった。すなわち、露地育苗による苗に比較して歩留まりが低かったコンテナ育苗によるコンテナ苗について（図３）、挿し木時の穂重が基準値以上である挿し穂については挿し穂由来の発根のための栄養分をそのまま用いるために通常の育苗管理を行い、挿し木時の穂重が基準値に達していない挿し穂については挿し穂由来の発根のための栄養分を補うように挿し木後の光合成由来の栄養分の生成が促される育苗管理を行うことにより、コンテナ苗の生産効率が向上させることができる（図４）。
かかる手法に依拠して、本発明によれば、上記挿し穂重量を基に、挿し穂の規格をタイプＡ（規格大：穂重の基準値に達しているタイプ）と以下のタイプＢ（規格小：穂重の基準値に達していないタイプ）（図５）について異なる環境条件下において育苗管理を行う方法も提供される。
かかる育苗管理を行う方法においては、
・タイプＡの挿し穂は、高密度条件で育苗される。例えば、培地容量１５０ｍｌ〜２００ｍｌの場合、分類の目安になる穂生重量は１５ｇ以上、好ましくは２０ｇ以上であり、
・タイプＢは、発根以降、光合成を活性化させる条件で育苗される。例えば充分に光が当たる密度管理、施肥管理等がなされる（図６）。
以下に本発明についてより詳細に説明する。
【００１６】
●穂重についての予め設定される基準値
穂重（穂生重量）についての予め設定される上記基準値としては、予備的な試験を行って設定してもいいし、当該製造方法の対象である樹種、製造の地域、時期、及び製造に供試される品種等に応じて適宜設定してもよい。穂重（穂生重量）は、穂の地上部及び地下部全体の生重量である。
上記基準値の例として、穂長が約２５cm〜約４０cmに調整された挿し穂についての約１３ｇ〜約２５ｇが挙げられる。基準値は、当該約１３ｇ〜約２５ｇの範囲から選択することができ、また採用する穂長に応じて適宜増減させてよい。例えば穂長が約３０cmである場合、基準値として約１５ｇ〜約２２ｇは好ましく、約２０ｇ〜約２２ｇはより好ましい。
コンテナ苗の歩留まりが高くなる基準値を採用する本発明の製造方法は好ましい。かかる好ましい態様における基準値として、約１５ｇ以上が例示される。ある態様において、当該基準値を約２０ｇ以上とする本発明の製造方法は好ましい。
なお本発明の製造方法において用いられるコンテナは限定されず、用いられるコンテナとしてFlexFrame77（BCC 社製、容量 150ml）が例示される。コンテナの植え付け部の形状も限定されない。植え付け部の形状としては、円柱状および四角柱状といった角柱状が例示され、例えばやや先細りの円錐形状のものが用いられる。この場合の長さ（深さ）は例えば約８０ｍｍ〜約１６０ｍｍであり、内径は例えば上径約３０ｍｍ〜約６０ｍｍおよび下径約２０〜約４０ｍｍである。コンテナの容量（培地容量）は例えば１５０ｍｌ〜２００ｍｌであり、容量が150mlであるものは好適に用いられる。
【００１７】
上記基準値として予備的な試験を行うことにより決定する場合、根鉢が十分に形成されているか否かの判断に用いられる指標は限定されず、抜き取りによる目視、根の重量（乾燥重及び／又は生重量）、及び抜き取った苗の地下部重量等を指標にしてよい。これらの指標のうち、根の重量（根乾燥重及び／又は根生体重）は正確性の点において優れており好ましく、乾燥重量を指標とすることはとくに好ましい。
乾燥重量を指標とする場合、穂の重量の基準値が、出荷時期において、穂から発根した不定根の根乾燥重が出荷可能である０．８ｇ以上の重量である本発明の製造方法は好ましい。また、かかる根乾燥重を有する苗木が、育苗された苗全体の８０％以上になるように穂の重量の基準値が設定される本発明の製造方法はより好ましい。
本発明の製造方法は穂の出荷時期にかかわらず適用される。穂の出荷時期としては、挿し付け後約１年である挿し付け後約10ヶ月〜約14ヶ月を経過した時期である本発明の方法は好ましく、約10ヶ月〜約12ヶ月を経過した時期である本発明の方法はより好ましい。
【００１８】
本発明の製造方法のうち、コンテナ苗の歩留まりが従来の製造方法に比較して、１．２倍以上になるものは好ましく、１．３倍以上になるものはより好ましい。従来の製造方法における歩留まりは、約６０％程度である。
穂の重量の基準値を大きくすることにより、歩留まりが向上する度合いを高めることにより、挿し付けから出荷時までの作業効率を高めることができる場合がある。また、穂の重量の基準値を小さくすることにより、基準値以下であっても根鉢を形成することができる穂が利用される可能性が高くなるため、出荷可能な苗木の本数自体を大きくすることができる場合がある。
穂の重量の基準値は、製造対象である樹種、製造の地域、時期、及び製造に供試される品種等に応じて改変してよい。
【００１９】
本発明の製造方法に用いられる培地の種類は限定されず、針葉樹の育苗に通常用いられる培地を用いてよい。かかる培地の種類として赤玉土、鹿沼土、ピートモス、ココピートが例示される。市販の挿し木専用培地を用いてもよい。
【００２０】
●穂重の測定対象とされる挿し穂
本発明の製造方法において、コンテナに充填された培地に挿し付けられる複数の挿し穂の本数は限定されない。該複数の挿し穂の本数は限定されないが、例えば１千本以上であり、好ましくは１万本以上であり、より好ましくは２万本以上である。該複数の挿し穂は、同時期（約一週間以内）に挿し木され、挿し木苗として管理される群を意味する。
例えば山林樹木用のコンテナ苗の場合、コンテナ１トレイ当たりの苗の本数は典型的には４０本〜８０本であり、通常は各トレイがベンチに載置され、載置されるトレイの個数がベンチ当たり２０個である場合、苗の総本数は８００本〜１６００本になる。また、穂長が約２５cm〜約４０cm（約２５cm以上、約４０cm以下）に調整された挿し穂のうち、重量を測定される穂の本数も限定されない。重量を測定される穂の挿し付けられる複数の挿し穂全体に対する割合も限定されない。本発明の製造方法のうち、かかる割合が、７０％以上であるものは好ましく、８０％以上であるものはより好ましく、９０％以上であるものは一層より好ましく、実質的に１００％であるものは最も好ましい。
【００２１】
本発明の製造方法において、コンテナに充填された培地に挿し付けられる複数の挿し穂の本数は限定されない。
また、穂長が約２５cm〜約４０cmに調整された挿し穂のうち、重量を測定される穂の本数も限定されない。重量を測定される穂の、挿し付けられる複数の挿し穂全体に対する割合も限定されない。本発明の製造方法のうち、かかる割合が、８０％以上であるものは好ましく、９０％以上であるものはより好ましく、実質的に１００％であるものは一層より好ましい。この割合が大きいほうが、苗木の歩留まりは高くなる一方、作業量も増大する。したがって、かかる割合は、設定された歩留まり及び作業量の許容性等を考慮して決定してよい。自動的に重量を計量し、上記穂の重量の基準値以上の重量を有する挿し穂を選別する自動重量選別機械を用いることは、作業の効率化に寄与し得る。
重量を測定される穂の上記割合が実質的に１００％でない場合、重量の測定対象とする穂として、柔らかいもの（「柔穂」）の割合を大きくすることは好ましい。柔穂のほうが堅い穂（「堅穂」）より根鉢の形成が劣る傾向にあることが、本発明者らにより見出されたからである。
穂が比較的柔らかい品種や、同一品種であっても柔穂の割合が多いと考えられる地域においては、重量を測定する穂の割合を多くすることは好ましい。
【００２２】
採穂される穂の穂長として、本発明の製造方法においては調整後の穂長として約２５cm〜約４０cm（約２５cm以上、約４０cm以下）が挙げられ、典型的には約30cmであり、当該長さは製造対象である樹種、製造の地域、時期、及び製造に供試される品種等に応じて増減してよい。
【００２３】
●挿し付け後の管理方法
上記のとおり、本発明によれば、上記挿し穂重量を基に、挿し穂の規格をタイプＡ（規格大：穂重の基準値に達しているタイプ）と、以下のタイプＢ（規格小：穂重の基準値に達していないタイプ）について異なる環境条件下において育苗管理を行う方法も提供される（図５及び図６参照）。当該製造方法は、予め設定した基準値以上のもの重量を有しない挿し穂の育苗を、予め設定した基準値以上の重量を有する挿し穂の育苗とは異なる管理方法により育苗して苗木に育成することを含む製造方法である。
【００２４】
かかる育苗管理を行う方法において、タイプＡの挿し穂は、高密度条件（例えば１５０本／ｍ２以上、好ましくは２００本／ｍ２以上）で育苗される。例えば、培地容量１５０〜２００ｍｌの場合、分類の目安になる穂生重量は１５ｇ以上、好ましくは２０ｇ以上である。
【００２５】
上記タイプＡの挿し穂の育苗管理においては、施設内の温度以外の育苗条件は通常の条件を用いることができる。すなわち、この場合の施設内の温度は、挿し付けされた穂が発根・生育する温度に調節されていればよい。本発明において、温度調節された温度が、夜温１０°Ｃ以上および／または平均温度２０°Ｃ以上３５°Ｃ以下である方法は好ましい。夜温１５°Ｃ以上および／または平均温度２５°Ｃ以上３０°Ｃ以下である方法は、より好ましい。
【００２６】
タイプＡの挿し穂の育苗管理においては、施設内の湿度もとくに限定されない。本発明の製造方法のうち、湿度が調節され、該湿度が相対湿度６０％以上である方法は好ましく、相対湿度７０％以上である方法はより好ましい。
【００２７】
上記タイプＢは、発根以降、光合成活性化させる条件で育苗される。例えば発根前には発根をより促進するために光量を減じるべく、遮蔽の度合いが大きい環境において育苗を行う。また、発根後には、例えば充分に光が当たる密度管理及び施肥管理等がなされる（図６）。
【００２８】
本発明の製造方法において、他の条件や器具等は、タイプＡ及びＢのいずれの穂についても、施設を利用した通常の挿し木苗を製造する方法におけるものを用いることができる。
本発明の製造方法において、施設内の光条件はタイプＡ及びＢのいずれの穂についてもとくに限定されないところ、採穂後の挿し穂の光合成および呼吸活性を抑制するために、施設の遮光が行われる方法は好ましい。遮光が行われる場合、遮光率は、４０％以上が好ましく、５０％以上がさらに好ましい。
【００２９】
本発明の製造方法において、タイプＡ及びＢのいずれの穂についても、施設内の環境条件が、より発根に適した環境条件に調節された上記方法は一層より好ましい。かかる環境条件には光条件および温湿度条件が包含されるところ、それぞれ遮光およびミスト等によって調節してよい。
【００３０】
実施例によって、本発明をさらに詳細に説明するが、これらの実施例はいかなる意味においても本発明を限定するものではない。
（実施例１）
１） 目的 
スギ挿し木コンテナ苗について、挿し木時の穂重と出荷時期の根量の関係を明らかにする。現場担当者の経験から比較的堅い穂（堅穂）が発根しやすいとの経験知から穂の質の違いによる発根性への影響についても併せて検証する。
２） 試験方法
実施場所：宮崎県日向市内の苗木生産施設
供試樹種及び品種：スギ、アオシマアラカワ
供試サンプル数：20本／処理
挿し木日：2012 年 9 月 19 日
調査日：2013 年 1 月 21 日（挿し付け後 124 日目）、2014 年 2 月 5 日（挿し付け後 500日目）
育成方法：スギ挿し穂は穂長30cmに調整し、赤玉土主体の配合による挿し木専用培地を充填したコンテナ（FlexFrame77（BCC 社製）、容量 150ml）に挿し付けた。
試験・調査方法：供試穂について、現場担当者の感覚で堅穂、柔らかい穂に分別し（図７）、重さを計測し挿し付けた。挿し付け後500日目に苗をコンテナから抜き取り、培地を除去して土中の挿し穂から発根している不定根を切り取り、乾燥させた当該不定根を根乾燥重として計測した。
【００３１】
３） 試験結果 
挿し付け時の穂重は、堅穂として選別された堅穂が柔穂として選別された穂に比較して大きい傾向にあった。根生体重は、堅穂が柔穂と比べて大きく、挿し付け後 124日では堅穂が柔穂に比べて49％大きく、挿し付け後500日では堅穂が柔穂に比べて65％大きくなり、発根後に時間が経過しても、挿し付け時の穂重量の影響が大きく影響していた（図８）。
すなわち、挿し付け後500日における根生体重は、挿し付け時の穂重量の影響を受けていた。
また、コンテナ苗の根鉢形成から判断して、出荷に適した根生体重は10g 以上であると判断された。その場合、根重量 10g 以上に達していた穂のすべてが堅穂であり、柔穂はすべて10g 以下となった（図９）。 
なお、堅穂と柔穂は外観上の差異はほとんどなく、視覚的に区別することは不可能であった（図７）。
以上の結果から、挿し付けから 1 年以上経過したスギ挿し木苗について、高い得苗率を得るには挿し木時の穂重量が比較的高いものを選び、本試験のような試験条件下においては穂重量が15〜16g 以上とすることにより、コンテナ苗の歩留まりを向上させることができると考えられた。すなわち、穂質として堅さが発根性に強く影響している可能性があるところ、堅さより客観的な指標として穂重を用いることにより、人的な要因による選別効率についての変動を少なくし、コンテナ苗の歩留まりをより確実に向上させることができる。
【００３２】
（実施例２）
１） 目的
スギ挿し木のコンテナ苗について、挿し木時の穂重と出荷時期の根量の関係を明らかにする。
２） 試験方法
実施場所：宮崎県日向市内の苗木生産施設
供試樹種及び品種：スギ、アオシマアラカワ
供試サンプル数：40本
挿し木日：2015 年 12 月 10 日
調査日：2016 年 11 月 14 日（挿し付け後 340 日目）
育成方法：スギ挿し穂は穂長30cmに調整し、挿し木専用培地を充填したコンテナ（FlexFrame77（BCC 社製）、容量 150ml）に挿し付けた。 
調査方法：挿し付け時の穂重を測定した後に挿し付けし、挿し付け後340日目に苗をコンテナから抜き取り、培地を除去して土中の挿し穂から発根している不定根を切り取り、乾燥させた当該不定根を根乾燥重として計測した。
【００３３】
３） 試験結果 
挿し木苗の根乾燥重は、挿し付け時の穂重と正の相関関係があった（Ｒ２＝0.51）。
根乾燥重 1gを目安にした場合、挿し付け時の穂重が20g以上であれば高い得苗率が得られた（図１０、図１１）。本試験のような試験条件下においては根鉢形成に必要な根量は根乾燥重で約1g 以上であると判断された。
【００３４】
（実施例３）
１） 目的 
挿し付け時の穂重が発根性に及ぼす影響を、穂長により穂重を変えて明らかにする。
２） 試験方法
実施場所：住友林業東郷苗木生産施設（宮崎県日向市）
供試樹種及び品種：スギ、アオシマアラカワ
供試サンプル数：77本／処理区
挿し木日：2014 年 3 月 22 日
調査日： 2014 年 10 月 8 日
育成方法：スギ挿し穂は所定の穂長（25cm、30cm又は40cm）に調整し、挿し木専用培地を充填したコンテナ（FlexFrame77（BCC 社製）、容量 150ml）に挿し付けた。
処理内容：スギ挿し穂を所定の穂長（25cm、30cm又は40cm）に調整した。
調査内容：挿し付け後約7ヶ月目（同年10月8日）に苗をコンテナから抜き取り、培地を除去して土中の挿し穂から発根している不定根を切り取り、乾燥させた当該不定根を根の乾燥重として計測した。不定根以外を地上部の乾燥重として測定した。
【００３５】
３） 試験結果 
穂の大きさ（苗長）が大きいほど発根性は良好であり、早期に根鉢を形成した（図１２及び表１）。
本試験において供試された穂は穂の質（堅さ）に差はなかったことから、穂長の相違により生じた発根性の差は、穂重自体が発根性に影響することを裏付けるものである。
【表１】
2019106893.tif 000002
【産業上の利用可能性】
【００３６】
本発明により、針葉樹の挿し木苗の大量生産において、コンテナ苗の生産性を高めるために単位労力当たりの生産性を高める技術を確立される。したがって、本発明はスギ挿し木苗の生産産業および関連産業の発展に寄与するところ大である。
【符号の説明】
【００３７】
１  挿し穂
２  培地を充填したコンテナ
３  不定根
【図１】
2019106893.tif 000003
【図２】
2019106893.tif 000004
【図３】
2019106893.tif 000005
【図４】
2019106893.tif 000006
【図５】
2019106893.tif 000007
【図６】
2019106893.tif 000008
【図７】
2019106893.tif 000009
【図８】
2019106893.tif 000010
【図９】
2019106893.tif 000011
【図１０】
2019106893.tif 000012
【図１１】
2019106893.tif 000013
【図１２】
2019106893.tif 000014